(57)【要約】【課題】宝石固定方法及び腕時計において、テーパ状となったテーパ面を有する宝石を、その外観（輝き）を損ねることなく容易に台座に固定する。【解決手段】テーパ状となったテーパ面（２）を有する宝石（１）を台座３に固定する宝石固定方法であって、テーパ面（２）に対向する傾斜面４ａを含む固定穴４を台座３に形成し、テーパ面（２）と傾斜面（４ａ）とを接着するようにする。【選択図】図１
2008099912.tif 000002
【特許請求の範囲】
【請求項１】
テーパ状となったテーパ面を有する宝石を台座に固定する宝石固定方法であって、
前記テーパ面に対向する傾斜面を含む固定穴を前記台座に形成し、
前記テーパ面と前記傾斜面とを接着することを特徴とする宝石固定方法。
【請求項２】
前記台座の表面に対して垂直方向に延びる穴を形成した後、前記台座の表面と前記穴の側面との間に形成される角を面取りすることにより、前記固定穴に前記傾斜面を形成することを特徴とする請求項１記載の宝石固定方法。
【請求項３】
テーパ状となったテーパ面を有する宝石を台座に固定する宝石固定方法であって、
前記台座に樹脂注入用穴を形成し、
該樹脂注入用穴に樹脂を注入し、
前記宝石の一部を前記樹脂に圧入し、
カバー部材を前記宝石の上面に当接させて配設することにより、前記樹脂と前記カバー部材とで前記宝石を挟み込むことを特徴とする宝石固定方法。
【請求項４】
前記台座は、時計の文字盤であり、
前記カバー部材は、前記文字盤の上方に設けられる透明板であることを特徴とする請求項３記載の宝石固定方法。
【請求項５】
前記宝石のテーパ面は、ブリリアントカットされてなることを特徴とする請求項１から請求項４のいずれか１項記載の宝石固定方法。
【請求項６】
テーパ状となったテーパ面を有する宝石と、該宝石が固定される台座と、文字盤とを備える腕時計であって、
前記台座には、前記テーパ面に対向する傾斜面を含む固定穴が形成され、
前記宝石のテーパ面は、前記傾斜面に接着されていることを特徴とする腕時計。
【請求項７】
テーパ状となったテーパ面を有する宝石と、該宝石が固定される台座と、文字盤とを備える腕時計であって、
前記台座には、樹脂が注入された穴が形成され、
前記宝石は、その一部が前記樹脂に圧入されると共に、その上面がカバー部材に当接した状態で、前記樹脂と前記カバー部材とに挟み込まれていることを特徴とする腕時計。
【請求項８】
前記台座は、前記文字盤の上方に位置する透明板であることを特徴とする請求項６又は請求項７記載の腕時計。
【請求項９】
前記台座は、前記文字盤の周縁に位置する周縁部であることを特徴とする請求項６又は請求項７記載の腕時計。
【請求項１０】
前記宝石のテーパ面は、ブリリアントカットされてなることを特徴とする請求項６から請求項９のいずれか１項記載の腕時計。
【発明の詳細な説明】
【技術分野】
【０００１】
本発明は、宝石を台座（例えば、腕時計の文字盤、この文字盤を保護する透明板等）に固定する宝石固定方法及び腕時計に関し、更に詳しくは、テーパ状となったテーパ面を有する宝石を台座に固定する宝石固定方法及び腕時計に関する。
【背景技術】
【０００２】
従来、ダイヤモンド、ルビー、エメラルド、サファイア等の宝石を、腕時計、装飾具等の何らかの台座に固定する場合、台座に埋め込んだ爪を宝石に係止させて固定する手法が一般的に用いられている。
【０００３】
上述のように爪を用いて宝石を台座に固定すると、爪が宝石の一部を覆ってしまうために宝石の輝きが損なわれてしまうという問題、爪が宝石の上部又は側部に突出するため被服等に引っかかるという問題、上記のような引っかかりに起因して爪が宝石より離脱することにより宝石の固定が外れてしまうという問題、宝石を台座に固定する作業に手間がかかるという問題等があった。
【０００４】
一方、上記の爪を用いずに、台座に穴を形成し、この穴の底面に宝石を接着する宝石固定方法も知られている（例えば、特許文献１参照）。このように宝石を固定することで、上記の爪を用いた場合の問題点は解消され得る。
【特許文献１】特開２０００−２７５３５９号公報
【発明の開示】
【発明が解決しようとする課題】
【０００５】
しかしながら、ブリリアントカットされて形成されるパビリオン面のようにテーパ状となったテーパ面を有する宝石を台座に固定する場合、上記特許文献１記載の固定方法では宝石のテーパ面の下端が穴の底面に接着されるたけの状態となるから、宝石と台座との接着が不十分となり、宝石が台座から外れやすくなってしまう。
【０００６】
本発明の課題は、上記従来の実情に鑑み、テーパ状となったテーパ面を有する宝石を、その外観（輝き）を損ねることなく容易に台座に固定する宝石固定方法、及びこの宝石固定方法により宝石が固定された腕時計を提供することである。
【課題を解決するための手段】
【０００７】
上記課題を解決するために、本発明の宝石固定方法は、テーパ状となったテーパ面を有する宝石を台座に固定する宝石固定方法であって、上記テーパ面に対向する傾斜面を含む固定穴を上記台座に形成し、上記テーパ面と上記傾斜面とを接着するようにする。
【０００８】
また、上記台座の表面に対して垂直方向に延びる穴を形成した後、上記台座の表面と上記穴の側面との間に形成される角を面取りすることにより、上記固定穴に上記傾斜面を形成するようにするとよい。
【０００９】
上記課題を解決するために、本発明の他の宝石固定方法は、テーパ状となったテーパ面を有する宝石を台座に固定する宝石固定方法であって、上記台座に樹脂注入用穴を形成し、この樹脂注入用穴に樹脂を注入し、上記カバー部材を上記宝石の上面に当接させて配設することにより、上記樹脂と上記カバー部材とで上記宝石を挟み込むようにする。
【００１０】
また、上記台座は、時計の文字盤であり、上記カバー部材は、上記文字盤の上方に設けられる透明板であるようにするとよい。
また、上記宝石のテーパ面は、ブリリアントカットされてなるようにするとよい。
【００１１】
上記課題を解決するために、本発明の腕時計は、テーパ状となったテーパ面を有する宝石と、この宝石が固定される台座と、文字盤とを備える腕時計であって、上記台座には、上記テーパ面に対向する傾斜面を含む固定穴が形成され、上記宝石のテーパ面は、上記傾斜面に接着されている構成とする。
【００１２】
上記課題を解決するために、本発明の他の腕時計は、テーパ状となったテーパ面を有する宝石と、この宝石が固定される台座と、文字盤とを備える腕時計であって、上記台座には、樹脂が注入された穴が形成され、上記宝石は、その一部が上記樹脂に圧入されると共に、その上面がカバー部材に当接した状態で、上記樹脂と上記カバー部材とに挟み込まれている構成とする。
【００１３】
また、上記台座は、上記文字盤の上方に位置する透明板である構成としてもよい。
また、上記台座は、上記文字盤の周縁に位置する周縁部である構成としてもよい。
また、上記宝石のテーパ面は、ブリリアントカットされてなる構成とするとよい。
【発明の効果】
【００１４】
本発明では、宝石のテーパ面と固定穴の傾斜面とを接着することにより、又は、穴に注入した樹脂とカバー部材とで宝石を挟み込むようにすることにより、宝石の固定が容易となると共に、従来のように宝石固定用の爪が宝石の上部又は側部を覆ってしまうようなことがない。よって、本発明によれば、テーパ面を有する宝石を、その外観（輝き）を損ねることなく容易に台座に固定することができる。
【発明を実施するための最良の形態】
【００１５】
以下、本発明の実施の形態に係る宝石固定方法及び腕時計について、図面を参照しながら説明する。
図１は、本発明の一実施の形態に係る宝石固定方法により固定された宝石及び台座を示す断面図である。
【００１６】
同図において、宝石としてのダイヤモンド１は、ブリリアントカットされてなり、テーパ状となったテーパ面としてのパビリオン面２を備えている。ここで、ブリリアントカットとは、ダイヤモンドが最も輝くように５８面体等に形成するカット手法をいう。そのため、ブリリアントカットされたダイヤモンド１のパビリオン面２は、複数の面を含むことになる。
【００１７】
ダイヤモンド１が固定される台座３には、パビリオン面２に対向する傾斜面４ａを含む固定穴４が形成されている。なお、傾斜面４ａは曲面としてもよいが、上記のようにパビリオン面２が複数の面を含んでいるため、これに対応させて、傾斜面４ａも複数の面からなるように形成するとよい。そのようにすることで、後述する、ダイヤモンド１と台座３との接着がより容易になると共に、より強固になる。
【００１８】
ダイヤモンド１と台座３とは、傾斜面４ａにおいて、接着部５を介して接着されている。この接着部５の材質は、宝石（ダイヤモンド１）及び台座３の材質を考慮して適宜決定されればよい。
【００１９】
図２Ａ、図２Ｂ及び図２Ｃは、上記宝石固定方法を説明するための断面図である。
まず、図２Ａに示すように、台座３の表面３ａに対して垂直方向に延びる穴４´を形成する。
【００２０】
次に、台座３の表面３ａと上記の穴４´の側面４ｃとの間に形成される角を面取りすることにより、図２Ｂに示すように、固定穴４に傾斜面４ａを形成する。図２Ｂにおいては、この傾斜面４ａを１つの面のように図示しているが、上述のように、パビリオン面２が複数の面からなるので、その複数の面に対向する複数の面からなるようにするとよい。
【００２１】
そして、図２Ｃに示すように、傾斜面４ａに接着剤等を塗布して接着部５を形成し、この接着部５によって、ダイヤモンド１のパビリオン面２と傾斜面４ａとを接着する。以上説明した宝石固定方法により、図１に示すように、ダイヤモンド１が台座３に固定される。
【００２２】
図３は、上記宝石固定方法により宝石が固定された腕時計を示す平面図である。
同図において、腕時計１０は、文字盤１１、同図には見えないが文字盤の上方に設けられ文字盤１１と同様の大きさを有する透明板１２、この透明板１２の周縁に設けられ例えば金属から構成される周縁部１３、人の腕に巻かれるバンド１４等を備えている。
【００２３】
例えば図１に示すダイヤモンド１のようにブリリアントカットされてなる１つのダイヤモンド１５は、透明板１２の上面（表面）の中央に形成される固定穴（図示せず）に対し、上述した固定方法により固定されている。また、例えば同様にブリリアントカットされてなる他のダイヤモンド１６は、周縁部１３のうち同図に示す上側（１２時を示す方向）に形成される不図示（図示せず）の固定穴に対し上述した固定方法により固定されている。
【００２４】
本実施の形態では、ダイヤモンド１のパビリオン面２と固定穴４の傾斜面４ａとを接着することにより、ダイヤモンド１の固定が容易となると共に、従来のように宝石固定用の爪がダイヤモンド１の上部又は側部を覆ってしまうようなことがない。よって、本実施の形態によれば、パビリオン面２を有するダイヤモンド１（１５）を、その外観（輝き）を損ねることなく容易に台座３（透明板１２，周縁部１３）に固定することができる。
【００２５】
また、本実施の形態では、台座３の表面３ａに対して垂直方向に延びる穴４´を形成した後、台座３の表面３ａと垂直方向に延びる穴４´の側面４ｃとの間に形成される角を面取りしている。したがって、パビリオン面２に対向する傾斜面４ａを固定穴４に対し容易に形成することができ、上記傾斜面４ａを利用して、パビリオン面２を有するダイヤモンド１を、容易に台座３に固定することができる。
【００２６】
更には、本実施の形態では、ダイヤモンド１のパビリオン面２の一部のみが傾斜面４ａに対向して接着されているため、ダイヤモンド１に入射する光を接着部５が遮る量が少ない。したがって、ダイヤモンド１（１５，１６）の外観、ひいては図３に示す腕時計１０の外観が向上する。
【００２７】
図４は、本発明の他の実施の形態に係る宝石固定方法により固定された宝石及び台座を示す断面図である。
同図において、宝石としてのダイヤモンド２１は、ブリリアントカットされてなり、テーパ面としてのパビリオン面２２を備えている。そのため、ダイヤモンド２１のパビリオン面２２は、複数の面を含むことになる。
【００２８】
ダイヤモンド２１が固定される台座２３には、樹脂注入用穴２４が形成されている。この樹脂注入用穴２４には、樹脂としてのシリコーン２６が注入されており、ダイヤモンド２１の上面としてのテーブル２８には、カバー部材としての透明板２７が当接している。この透明板２７は何らかの部材に固定されており、これにより、ダイヤモンド２１は、シリコーン２６と透明板２７とに挟み込まれている。
【００２９】
図５Ａ、図５Ｂ及び図５Ｃは、上記他の実施の形態に係る宝石固定方法を説明するための断面図である。
まず、図５Ａに示すように、台座２３に樹脂注入用穴２４を形成する。この樹脂注入用穴２４は、台座２３の表面２３ａに対して垂直方向に延びるように形成すると、穴２４の形成が容易である。
【００３０】
次に、図５Ｂに示すように、樹脂としてのシリコーン２６を樹脂注入用穴２４に注入する。この際、注入するシリコーン２６の量は、後述するダイヤモンド２１の圧入によってシリコーン２６が樹脂注入用穴２４から溢れることがないように、樹脂注入用穴２４を完全に埋めない程度にするとよい。
【００３１】
そして、図５Ｃに示すように、ダイヤモンド２１のパビリオン面２２側の下端２２ａをシリコーン２６に圧入する。この後、ダイヤモンド２１のテーブル２８に当接させた状態の透明板２７を配設し、シリコーン２６と透明板２７とでダイヤモンド２１を挟み込む。以上説明した宝石固定方法により、図４に示すようにダイヤモンド２１が台座２３に固定される。
【００３２】
本実施の形態では、樹脂注入用穴２４に注入したシリコーン２６と透明板２７とでダイヤモンド２１を挟み込むようにすることにより、パビリオン面２２（テーパ面）を有するダイヤモンド２１を容易に台座２３に固定することができる。
【００３３】
また、本実施の形態では、ダイヤモンド２１のパビリオン面２２の下端２２ａのみがシリコーン２６に圧入されているため、ダイヤモンド２１に入射する光のシリコーン２６により遮られる量が少なく、更には、透明板２７がダイヤモンド２１の輝きを透過するため、ダイヤモンド２１の外観（輝き）を損ねることもない。
【００３４】
また、本実施の形態では、透明板２７がダイヤモンド２１のテーブル２８に当接した状態で何らかの部材に固定されているため、ダイヤモンド２１が台座２３から離脱するのを有効に防止することができる。
【００３５】
なお、図３に示す腕時計１０に本実施の形態に係る固定方法を適用する場合には、透明板１２又は周縁部１３を少なくとも一部において２層構造にし、下側に配設される透明板又は周縁部に樹脂注入用穴を形成して、この樹脂注入用穴に注入した樹脂と上側に配設される透明板又は周縁部とでダイヤモンド１５，１６を挟み込むようにするとよい。
【図面の簡単な説明】
【００３６】
【図１】本発明の一実施の形態に係る宝石固定方法により固定された宝石及び台座を示す断面図である。
【図２Ａ】上記宝石固定方法を説明するための断面図（その１）である。
【図２Ｂ】上記宝石固定方法を説明するための断面図（その２）である。
【図２Ｃ】上記宝石固定方法を説明するための断面図（その３）である。
【図３】上記宝石固定方法により宝石が固定された腕時計を示す平面図である。
【図４】本発明の他の実施の形態に係る宝石固定方法により固定された宝石及び台座を示す断面図である。
【図５Ａ】上記他の実施の形態に係る宝石固定方法を説明するための断面図（その１）である。
【図５Ｂ】上記他の実施の形態に係る宝石固定方法を説明するための断面図（その２）である。
【図５Ｃ】上記他の実施の形態に係る宝石固定方法を説明するための断面図（その３）である。
【符号の説明】
【００３７】
１      ダイヤモンド
２      パビリオン面
３      台座
３ａ      表面
４      固定穴
４ａ      傾斜面
５      接着部
１０      腕時計
１１      文字盤
１２      透明板
１３      周縁部
１４      バンド
１５，１６      ダイヤモンド
２１      ダイヤモンド
２２      パビリオン面
２２ａ      下端
２３      台座
２３ａ      表面
２４      樹脂注入用穴
２６      シリコーン
２７      透明板
２８      テーブル
【図１】
2008099912.tif 000003
【図２Ａ】
2008099912.tif 000004
【図２Ｂ】
2008099912.tif 000005
【図２Ｃ】
2008099912.tif 000006
【図４】
2008099912.tif 000007
【図５Ａ】
2008099912.tif 000008
【図５Ｂ】
2008099912.tif 000009
【図５Ｃ】
2008099912.tif 000010
【図３】
2008099912.tif 000011